(57)【要約】【課題】複数の内蔵アンテナから高周波信号を同時に入力し、最適な受信処理を行うことが可能な携帯無線機を提供する。【解決手段】携帯無線機１は、第１の内蔵アンテナ１０Ａと、第１の内蔵アンテナ１０Ａからの信号を増幅する第１の低雑音増幅器１２２Ａと、第１の低雑音増幅器１２２Ａからの信号について所定の受信処理を行うための第１の受信部１２４Ａと、第１の内蔵アンテナ１０Ａよりも利得が低い第２の内蔵アンテナ１０Ｂと、第２の内蔵アンテナ１０Ｂからの信号を増幅する第２の低雑音増幅器１２２Ｂと、第２の低雑音増幅器１２２Ｂからの信号について所定の受信処理を行うための第２の受信部１２４Ｂと、両受信部１２４による受信処理が行われた場合、受信処理された各信号について所定のダイバーシチ処理を行う受信回路部１２３と、を備える。【選択図】図１
2009273085.tif 000002
【特許請求の範囲】
【請求項１】
高周波信号を受信する第１の内蔵アンテナと、
前記第１の内蔵アンテナからの信号を増幅する第１の低雑音増幅器と、
前記第１の低雑音増幅器からの信号について所定の受信処理を行うための第１の受信部と、
高周波信号を受信し、前記第１の内蔵アンテナよりも利得が低い第２の内蔵アンテナと、
前記第２の内蔵アンテナからの信号を増幅する第２の低雑音増幅器と、
前記第２の低雑音増幅器からの信号について所定の受信処理を行うための第２の受信部と、
前記第１の受信部による受信処理および前記第２の受信部による受信処理が行われた場合、前記第１の受信部によって受信処理された信号および前記第２の受信部によって受信処理された信号について所定のダイバーシチ処理を行う受信回路部と、
を備える携帯無線機。
【請求項２】
請求項１に記載の携帯無線機であって、
前記第１の内蔵アンテナおよび前記第２の内蔵アンテナは、テレビ信号を受信する
携帯無線機。
【請求項３】
請求項１または２のいずれか１項に記載の携帯無線機であって、更に、
前記第１の受信部から出力された信号と、前記第２の受信部から出力された信号とを合成する信号合成部と、
前記信号合成部によって算出される前記合成された信号のＢＥＲ（Ｂｉｔ  Ｅｒｒｏｒ  ｒａｔｅ）と、前記第１の受信部によって算出される前記受信処理のC／N（Ｃａｒｒｉｅｒ  ｔｏ  Ｎｏｉｓｅ  ｒａｔｉｏ）と、前記第２の受信部によって算出される前記受信処理のC／Nとに基づいて、前記第１の受信部による受信処理および前記第２の受信部による受信処理を行うか否かを決定する受信制御部と、
を備える携帯無線機。
【請求項４】
請求項３に記載の携帯無線機であって、
前記受信制御部は、信号合成部によって算出されるＢＥＲが所定値よりも小さい場合、かつ、前記第１の受信部によって算出されるＣ／Ｎが前記第２の受信部によって算出されるC／Nよりも小さい場合、前記第１の受信部による受信処理を停止し、かつ、前記第２の受信部による受信処理を行うよう制御する
携帯無線機。
【請求項５】
請求項３に記載の携帯無線機であって、
前記受信制御部は、信号合成部によって算出されるＢＥＲが所定値よりも小さい場合、かつ、前記第２の受信部によって算出されるC／Nが前記第１の受信部によって算出されるC／Nに対して劣化している場合、前記第１の受信部による受信処理を行い、かつ、前記第２の受信部による受信処理を停止するよう制御する
携帯無線機。
【請求項６】
請求項３に記載の携帯無線機であって、
前記受信制御部は、信号合成部によって算出されるＢＥＲが所定値よりも大きい場合、前記第１の受信部による受信処理および前記第２の受信部による受信処理を行うよう制御する
携帯無線機。
【請求項７】
請求項１ないし６のいずれか１項に記載の携帯無線機であって、
当該携帯無線機は、第１の筐体内に配設された第１の回路基板と、第２の筐体内に配設された第２の回路基板とを備え、
前記第１の内蔵アンテナは、前記第１の回路基板および前記第２の回路基板の少なくとも一部を含むダイポールアンテナであり、
前記第２の内蔵アンテナは、前記第１の筐体内または第２の筐体内に配設されたアンテナ素子である
携帯無線機。
【請求項８】
請求項１ないし６のいずれか１項に記載の携帯無線機であって、
当該携帯無線機は、筐体内に配設された回路基板を備え、
前記第１の内蔵アンテナおよび前記第２の内蔵アンテナは、前記回路基板を介して対向する位置に配設されたアンテナ素子である
携帯無線機。
【発明の詳細な説明】
【技術分野】
【０００１】
本発明は、携帯無線機に関する。
【背景技術】
【０００２】
近年、携帯無線機において、テレビ放送などの高周波信号を受信し、テレビ視聴等を行うことが可能となっている。このような携帯無線機として、信号レベルが低い室内受信のような環境下において良好な受信を行うため、内蔵アンテナと、外部アンテナからの信号を入力する高周波信号入力端子を備え、これらのアンテナを切り替えるための切り替えスイッチを有している携帯型高周波受信装置が知られている（例えば、特許文献１参照）。この受信装置により、高周波信号入力端子へ受信感度の良好な固定アンテナなどから供給された信号レベルの高い放送信号を供給することができるので、内蔵したアンテナでの受信では信号レベルが低くなる室内などにおいても、テレビ放送を良好に受信することができる。
【０００３】
また、この受信装置は、第１の増幅器および第２の増幅器を備え、高周波信号入力端子から入力した信号が増幅器で歪みが発生するような信号である場合、電力検波器で検波した電力の大きさに応じて、制御部が第２の増幅器をオフすることとなる。これにより、増幅器が入力信号を減衰させることができ、強入力レベルの信号受信時における歪み特性が良好になり、信号の歪みが軽減される。
【０００４】
【特許文献１】特許第３８９１１８３号公報
【発明の開示】
【発明が解決しようとする課題】
【０００５】
しかしながら、携帯無線機においてデザイン性を重視するために、内蔵アンテナを２つ備える構成とする場合には、外部に突出されるホイップアンテナや外部アンテナを利用する場合に比べて、アンテナの利得が低くなってしまう。また、特許文献１の技術では、内蔵アンテナおよび外部アンテナのうち、いずれかのアンテナからの高周波信号のみを入力することを想定しており、両アンテナから同時に入力することを想定していない。さらに、内蔵アンテナが２つの場合であっても、内蔵アンテナの利得低下を補うために低雑音増幅器等を挿入すると、低雑音増幅器に入力される信号の信号強度が所定以上である強電界入力時に、所望の受信処理の実施を行うことができないことがある。
【０００６】
本発明は、上記従来の事情に鑑みてなされたものであって、複数の内蔵アンテナから高周波信号を同時に入力し、最適な受信処理を行うことが可能な携帯無線機を提供することを目的としている。
【課題を解決するための手段】
【０００７】
本発明の携帯無線機は、高周波信号を受信する第１の内蔵アンテナと、前記第１の内蔵アンテナからの信号を増幅する第１の低雑音増幅器と、前記第１の低雑音増幅器からの信号について所定の受信処理を行うための第１の受信部と、高周波信号を受信し、前記第１の内蔵アンテナよりも利得が低い第２の内蔵アンテナと、前記第２の内蔵アンテナからの信号を増幅する第２の低雑音増幅器と、前記第２の低雑音増幅器からの信号について所定の受信処理を行うための第２の受信部と、前記第１の受信部による受信処理および前記第２の受信部による受信処理が行われた場合、前記第１の受信部によって受信処理された信号および前記第２の受信部によって受信処理された信号について所定のダイバーシチ処理を行う受信回路部と、を備える。
【０００８】
この構成により、携帯無線機のデザイン性を重視し、かつ、複数の内蔵アンテナから高周波信号を同時に入力し、最適な受信処理を行うことが可能である。
【０００９】
また、本発明の携帯無線機は、前記第１の内蔵アンテナおよび前記第２の内蔵アンテナが、テレビ信号を受信する。
【００１０】
この構成により、２つのアンテナからテレビ信号を受信し、最適な受信処理を行うことが可能となり、高画質、高音質のテレビ視聴を行うことが可能となる。
【００１１】
また、本発明の携帯無線機は、前記第１の受信部から出力された信号と、前記第２の受信部から出力された信号とを合成する信号合成部と、前記信号合成部によって算出される前記合成された信号のＢＥＲ（Ｂｉｔ  Ｅｒｒｏｒ  ｒａｔｅ）と、前記第１の受信部によって算出される前記受信処理のC／N（Ｃａｒｒｉｅｒ  ｔｏ  Ｎｏｉｓｅ  ｒａｔｉｏ）と、前記第２の受信部によって算出される前記受信処理のC／Nとに基づいて、前記第１の受信部による受信処理および前記第２の受信部による受信処理を行うか否かを決定する受信制御部と、を備える。
【００１２】
この構成により、第１の受信部に入力される信号から算出されるC／N、及び第２の受信部に入力される信号から算出されるC／N、それらに加えこの２つの信号が合成される信号合成部から出力されるＢＥＲに基づいて、それぞれの受信系での受信処理（同調処理や復調処理）を行うか否かを決定するため、最適な受信処理を行うことが可能である。これにより、例えば高画質、高音質のテレビ視聴が可能となる。
【００１３】
また、本発明の携帯無線機は、前記受信制御部が、信号合成部によって算出されるＢＥＲが所定値よりも小さい場合、かつ、前記第１の受信部によって算出されるＣ／Ｎが前記第２の受信部によって算出されるC／Nよりも小さい場合、前記第１の受信部による受信処理を停止し、かつ、前記第２の受信部による受信処理を行うよう制御する。
【００１４】
この構成により、受信電界が比較的大きい強電界である場合には、利得の高いアンテナを含む受信系においては、低雑音増幅器から出力される信号に歪みが生じる可能性が高くなるがためにC／Nは劣化しておりＢＥＲも劣化している可能性が高いが、利得の低いアンテナを含む受信系においては、低雑音増幅器から出力される信号が所望に増幅処理を行われている可能性が高いためにC／Nの劣化が少ない。このため、受信処理の誤り率が低下し、最適な受信信号を生成することが可能となる。
【００１５】
また、本発明の携帯無線機は、前記受信制御部が、信号合成部によって算出されるＢＥＲが所定値よりも小さい場合、かつ、前記第２の受信部によって算出されるC／Nが前記第１の受信部によって算出されるC／Nに対して劣化している場合、前記第１の受信部による受信処理を行い、かつ、前記第２の受信部による受信処理を停止するよう制御する。
【００１６】
受信電界が中程度である中電界である場合には、利得の高いアンテナを含む受信系および利得の低いアンテナを含む受信系において所望の受信処理を行うことができる。この場合、いずれかの受信系における受信処理のみで、受信信号として十分な信号強度を得られる。この構成により、最適な受信処理を行うことができるとともに、携帯無線機における処理負荷を軽減可能である。
【００１７】
また、本発明の携帯無線機は、前記受信制御部が、信号合成部によって算出されるＢＥＲが所定値よりも大きい場合、前記第１の受信部による受信処理および前記第２の受信部による受信処理を行うよう制御する。
【００１８】
この構成により、利得が高いアンテナを含む受信系および利得が低いアンテナを含む受信系ともに、受信部に入力される信号の信号強度が十分ではないが、両受信系において受信処理を行い、さらに受信処理された信号についてダイバーシチ処理を行うことにより、ダイバーシチ処理により生成される信号の誤り率を低下させることが可能である。
【００１９】
また、本発明の携帯無線機は、当該携帯無線機が、第１の筐体内に配設された第１の回路基板と、第２の筐体内に配設された第２の回路基板とを備え、前記第１の内蔵アンテナが、前記第１の回路基板および前記第２の回路基板の少なくとも一部を含むダイポールアンテナであり、前記第２の内蔵アンテナが、前記第１の筐体内または第２の筐体内に配設されたアンテナ素子である。
【００２０】
この構成により、第１の内蔵アンテナを携帯無線機の筐体による筐体ダイポールアンテナとし、第２の内蔵アンテナを筐体内に内蔵されたアンテナ素子として、複数の内蔵アンテナから高周波信号を同時に入力し、最適な受信処理を行うことが可能である。
【００２１】
また、本発明の携帯無線機は、当該携帯無線機が、筐体内に配設された回路基板を備え、前記第１の内蔵アンテナおよび前記第２の内蔵アンテナが、前記回路基板を介して対向する位置に配設されたアンテナ素子である。
【００２２】
この構成により、第１の内蔵アンテナを筐体内に内蔵されたアンテナ素子とし、第２の内蔵アンテナを筐体内に内蔵されたアンテナ素子として、複数の内蔵アンテナから高周波信号を同時に入力し、最適な受信処理を行うことが可能である。また、２つの内蔵アンテナの配置位置は回路基板を挟んで対向する位置に配設されるため、アンテナ間の電磁界結合が低減し、良好なアンテナの利得を確保可能である。
【発明の効果】
【００２３】
本発明は、複数の内蔵アンテナから高周波信号を同時に入力し、最適な受信処理を行うことが可能である。
【発明を実施するための最良の形態】
【００２４】
本発明の実施形態にかかる携帯無線機としては、例えば、携帯電話端末、携帯情報端末（ＰＤＡ）、携帯テレビ受信機などが考えられる。
【００２５】
（第１の実施形態）
図１は本発明の第１の実施形態の携帯無線機１の構成の一例を示す図である。図１に示す携帯無線機１は、上部と下部の２つの筐体を備え、導電性部材からなる２つのヒンジ部１０２、１０３により、横方向（短手方向）と縦方向（長手方向）の２方向に開閉自在となっている。図１は横方向に開いた場合の一例である。下部筐体１０４には回路基板１０６が設けられており、上部筐体１０５には回路基板１１２が設けられている。下部筐体１０４に設けられる給電素子（例えばアンテナ素子）１１０は、一方の端部がヒンジ部１０３に電気的に接続され、他方の端部がヒンジ部１０２に電気的に接続されている。上部筐体１０５に設けられるアンテナ素子１１１は、ヒンジ部１０２に電気的に接続されている。アンテナ素子１１１は、上部筐体１０５の一部を構成する金属フレームである。給電素子１１０、ヒンジ部１０２、１０３が上側素子への給電素子で、１１１が上側素子、また下部筐体１０４の回路基板１０６のグラウンドパターンが下側素子となるダイポールアンテナを形成しており、筐体全体をアンテナ（筐体ダイポールアンテナ）として利用する。このように、上記筐体ダイポールアンテナは、上部筐体１０５に配設された回路基板１１２および下部筐体１０４に配設された回路基板１０６の少なくとも一部を含む内蔵アンテナ１０Ａである。
【００２６】
また、内蔵アンテナ１０Ａと回路基板１０６を介して対向する位置には、内蔵アンテナ１０Ｂが設けられている。内蔵アンテナ１０Ｂは、下部筐体１０４に内蔵された内蔵アンテナ素子であり、回路基板１０６と電気的に接続されている。内蔵アンテナ１０Ｂは、内蔵アンテナ１０Ａよりも利得が低い。なお、内蔵アンテナ１０Ｂは、ダイポールアンテナであってもモノポールアンテナであってもよい。
【００２７】
ここで、内蔵アンテナ１０（１０Ａおよび１０Ｂ）は、高周波信号を受信するためのアンテナであり、例えば４７０ＭＨｚ〜７７０ＭＨｚのデジタルテレビ信号を受信するためのアンテナである。また、内蔵アンテナ１０は、電話機能を使用する際のセルラー用のアンテナとして機能してもよい。
【００２８】
また、回路基板１０６は、給電部１２１（第１の給電部１２１Ａおよび第２の給電部１２１Ｂ）、ＬＮＡ（Ｌｏｗ  Ｎｏｉｓｅ  Ａｍｐｌｉｆｉｅｒ：低雑音増幅器）１２２（第１のＬＮＡ１２２Ａおよび第２のＬＮＡ１２２Ｂ）、受信回路部１２３を備えている。ヒンジ部１０３は、給電部１２１Ａの一端（入力端）に電気的に接続されている。また、給電部１２１Ａの他端（出力端）は、ＬＮＡ１２２Ａの一端（入力端）に電気的に接続されている。また、ＬＮＡ１２２Ａの他端（出力端）は、受信回路部１２３の一端に電気的に接続されている。また、内蔵アンテナ１０Ｂは、給電部１２１Ｂの一端（入力端）に電気的に接続されている。また、給電部１２１Ｂの他端（出力端）は、ＬＮＡ１２２Ｂの一端（入力端）に電気的に接続されている。また、ＬＮＡ１２２Ｂの他端（出力端）は、受信回路部１２３の他端に接続されている。
【００２９】
給電部１２１は内蔵アンテナ１０に給電を行うものであり、給電部１２１Ａは内蔵アンテナ１０Ａに給電を行い、給電部１２１Ｂは内蔵アンテナ１０Ｂに給電を行う。また、給電部１２１Ａは、内蔵アンテナ１０Ａの上側素子の給電部１２１Ａ側のインピーダンスとＬＮＡ１２２Ａの入力インピーダンスとを整合する整合部としての機能も有する。また、給電部１２１Ｂは、内蔵アンテナ１０Ｂの給電部１２１Ｂ側のインピーダンスとＬＮＡ１２２Ｂの入力インピーダンスとを整合する整合部としての機能も有する。
【００３０】
ＬＮＡ１２２は、内蔵アンテナ１０からの高周波信号を増幅するものであり、ＬＮＡ１２２Ａは内蔵アンテナ１０Ａからの信号を増幅し、ＬＮＡ１２２Ｂは内蔵アンテナ１０Ｂからの信号を増幅する。
【００３１】
受信回路部１２３は、詳細構成の一例を図２に示すように、第１の受信部１２４Ａ、第２の受信部１２４Ｂ、受信制御部１２５、信号合成部１２６を有する。図２は、受信回路部１２３の詳細構成の一例を示す図である。第１の受信部１２４Ａの一端（入力端）は、ＬＮＡ１２２Ａの他端に電気的に接続されている。また、第１の受信部１２４Ａの他端は信号合成部の一端（入力端）に接続されている。また、第２の受信部１２４Ｂの一端（出力端）は、ＬＮＡ１２２Ｂの他端に電気的に接続されている。また、第２の受信部１２４Ｂの他端は信号合成部の一端（もう一つの入力端）に接続されている。更に信号合成部の一端（出力端）は受信制御部１２５の一端（入力端）に接続されている。
【００３２】
受信部１２４（１２４Ａおよび１２４Ｂ）は、所定の条件を満たす場合に、受信制御部１２５から受信部に送られる後述する回路制御信号により動作し、ＬＮＡ１２２により増幅された信号（増幅信号）について受信処理を行う。つまり、受信部１２４ＡはＬＮＡ１２２Ａからの増幅信号について受信処理を行い、受信部１２４ＢはＬＮＡ１２２Ｂからの増幅信号について受信処理を行う。受信処理では、例えばＤＴＶで使用される周波数帯の信号を増幅信号から選択する同調処理や、同調処理で選択された周波数帯の信号を復調する復調処理等が行われる。
【００３３】
また、受信部１２４は、上記の受信処理の結果に基づいて、Ｃ／Ｎ（Ｃａｒｒｉｅｒ  ｔｏ  Ｎｏｉｓｅ  ｒａｔｉｏ）を算出する。つまり、受信部１２４Ａは、ＬＮＡ１２２Ａから入力される増幅信号についての受信処理に基づいて、Ｃ／Ｎを算出する。また、受信部１２４Ｂは、ＬＮＡ１２２Ｂから入力される増幅信号についての受信処理に基づいて、Ｃ／Ｎを算出する。ここで、Ｃ／Ｎとは、ＬＮＡから入力される信号についての搬送波と雑音の比であり、数値が大きいほど良好な状態である。
また、信号合成部１２６は、受信部１２４Ａからの信号と受信部１２４Ｂからの信号とを合成し、その合成された信号に基づいて通信信号品質の１つであるビット誤り率を示すＢＥＲ（Ｂｉｔ  Ｅｒｒｏｒｒａｔｅ）を算出する。
また、受信制御部１２５は、信号合成部１２６によって算出されたＢＥＲおよび各受信部１２４によって算出されたＣ／Ｎに基づいて、回路制御信号を生成し、受信部へ回路制御信号を送信する。なお、回路制御信号は、受信部に対し、受信部の動作を停止するか否かを指示するための制御信号である。
【００３４】
ここで、受信部１２４（１２４Ａおよび１２４Ｂ）が受信処理を行うか否かは、信号合成部１２６に入力される信号に基づいて算出されるＢＥＲ、及び第１の受信部１２４Ａに入力される増幅信号のC／N、ならびに第２の受信部１２４Bに入力される増幅信号のC／Nに基づいて決定される。
【００３５】
また、受信回路部１２３は、第１の受信部１２４Ａおよび第２の受信部１２４Ｂがともに受信処理を行った場合、受信処理された信号（受信信号）についてダイバーシチ処理を行う。ダイバーシチ処理では、位相を揃えてそれぞれの受信信号を合成し、合成信号を生成する合成ダイバーシチ処理や、それぞれの受信信号のC／Nを算出し、算出結果に基づいていずれかの受信信号を選択する選択ダイバーシチ処理が行われる。
【００３６】
なお、以下、電気的に接続された、内蔵アンテナ１０Ａ、給電部１２１Ａ、ＬＮＡ１２２Ａ、第１の受信部１２４Ａの電気経路を第１経路と称し、内蔵アンテナ１０Ｂ、給電部１２１Ｂ、ＬＮＡ１２２Ｂ、第２の受信部１２４Ｂの電気経路を第２経路と称する。
【００３７】
次に、受信回路部１２３、受信部１２４の動作の一例について説明する。
図３は、受信電界の大きさと信号合成部１２６による受信処理のＢＥＲを示している。ここでは、受信電界とは、この携帯無線機１が置かれている場所における電界強度を指すものである。受信電界としては、強電界、中電界、弱電界がある。強電界とは、信号合成部１２６によって算出されたＢＥＲが所定値以上になる部分であり、かつ電界が強くなるに従ってＢＥＲの値が劣化する（つまり大きくなる）電界強度の場合を指す。また、弱電界とは、信号合成部１２６によって算出されたＢＥＲが所定値以上になる部分であり、かつ電界が弱くなるに従ってＢＥＲの値が劣化する電界強度の場合を指す。中電界とは、上記強電界と弱電界の間の電界強度の場合を指す。受信電界の大きさに応じて、第１の受信部１２４Ａおよび第２の受信部１２４Ｂの動作（受信処理など）が異なる。
【００３８】
まず、受信電界が強電界の場合について説明する。
第１経路においては、受信電界が強電界の場合、つまり、受信電界が第１の所定値（図３におけるｆ１）以上である場合には、ＬＮＡ１２２Ａ自体が歪む、もしくはＬＮＡ１２２Ａで増幅された信号により第１の受信部に歪みが生じてしまう。このため、受信電界がｆ１である場合には第１の受信部１２４ＡにおけるC／Nは良好であるが、受信電界がｆ１以上である場合には、受信電界の大きさが大きくなるにつれて第１の受信部１２４Ａによる受信処理の誤りが増加し、第１の受信部１２４ＡにおけるC／Nが劣化する。
【００３９】
一方、第２経路においては、受信電界が強電界の場合、つまり、受信電界が第１の所定値（図３におけるｆ１）以上である場合であっても、内蔵アンテナ１０Ｂの利得が内蔵アンテナ１０Ａの利得よりも低いため、ＬＮＡ１２２Ｂから出力される増幅信号は、高周波信号に基づいて正常な増幅処理が行われたものとなる。このため、受信電界がｆ１である場合およびｆ１以上である場合には、第２の受信部１２４Ｂによる受信処理の誤り発生はほとんどなく、第２の受信部１２４ＢにおけるC／Nは良好な（大きな）値となる。
【００４０】
したがって、受信電界が強電界の場合には、例えば第１経路においてのC／Nが劣化していても、第２経路においてのC／Nが良好であるので、信号合成部１２６によって算出されるＢＥＲの値が小さいものとなる。しかしながら、この場合、よりＢＥＲの値を良好な値に保つために、第１の受信分１２４Ａおよび第２の受信部１２４Ｂは、いずれも次回の受信処理を行う。そして、受信回路部１２３がダイバーシチ処理を行うことにより、良好な受信特性を確保する。
【００４１】
続いて、受信電界が中電界の場合について説明する。
第１経路においては、受信電界が中電界の場合、つまり、受信電界が第２の所定値（図３におけるｆ２）以上かつ第１の所定値（図３におけるｆ１）未満である場合には、ＬＮＡ１２２ＡおよびＬＮＡ１２２Ｂから出力される増幅信号は、高周波信号に基づいて正常な増幅処理が行われたものとなる。このため、第１の受信部１２４Ａによる受信処理のC／Nは良好な値となる。
【００４２】
一方、第２経路においては、受信電界が中電界の場合、つまり、受信電界が第２の所定値（図３におけるｆ２）以上かつ第１の所定値（図３におけるｆ１）未満である場合、ＬＮＡ１２２Ｂから出力される増幅信号は、第２の受信部１２４Ｂによる受信処理の誤り発生はほとんどなく、高周波信号に基づいて正常な増幅処理が行われたものとなる。このため、第２の受信部１２４Ｂによる受信処理のC／Nは良好な値となる。
【００４３】
このように、受信電界が中電界の場合には、第１経路、第２経路においてともにC／Nは良好なものとなり、信号合成部１２６によって算出されるＢＥＲの値は良好な値となる。この場合、第１経路における処理または第２経路における処理のみで十分である。このため、第１の受信部１２４Ａまたは第２の受信部１２４Ｂのいずれか一方（例えば、Ｃ／Ｎが良好な方）が次回の受信処理を行い、他方が次回の受信処理を行わないようにする。また、受信電界が中電界の場合には、次回の受信処理を行わない受信部におけるC／Nの算出についても行わず、当該受信部の動作を停止してもよい。これにより、携帯無線機１の処理負荷が軽減される。
【００４４】
続いて、受信電界が弱電界の場合について説明する。
第１経路においては、受信電界が弱電界の場合、つまり、受信電界が第２の所定値（図３におけるｆ２）未満である場合、受信電界がｆ２付近では内蔵アンテナ１０Ａにより電波を正常に受電するが、受信電界がｆ２よりも小さくなるほど、電波の受信に失敗する可能性が高くなる。このため、受信電界がｆ２である場合には、信号合成部１２６によって算出されるＢＥＲ値は０付近であるが、受信電界がｆ２未満である場合には、受信電界の大きさが小さくなるにつれて第１の受信部１２４Ａによる受信処理の誤りが増加し、第１の受信部１２４ＡにおけるC／Nは劣化した値となる。
【００４５】
第２経路においても同様に、受信電界が弱電界の場合、つまり、受信電界が第２の所定値（図３におけるｆ２）未満である場合、受信電界がｆ２付近では内蔵アンテナ１０Ａにより電波を正常に受電するが、受信電界がｆ２よりも小さくなるほど、電波の受信に失敗する可能性が高くなる。このため、受信電界がｆ２である場合には信号合成部１２６によって算出されるＢＥＲ値は０付近であるが、受信電界がｆ２未満である場合には、受信電界の大きさが小さくなるにつれて第２の受信部１２４Ｂによる受信処理の誤りが増加し、第２の受信部１２４ＢにおけるC／Nは劣化した値となる。
【００４６】
したがって、受信電界が弱電界の場合には、受信電界が小さくなるにつれて第１経路、第２経路においてともにＣ／Ｎが劣化した値（小さな値）になるため、ＢＥＲの値が大きなものとなる。このため、第１の受信部１２４Ａ、第２の受信部１２４Ｂともに次回の受信処理を行う。そして、受信回路部１２３がダイバーシチ処理を行うことにより、良好な受信特性を確保する。
【００４７】
次に、各受信部１２４における受信処理の動作の切り替え（受信処理開始もしくは受信処理終了）のタイミングについて説明する。受信処理の動作の切り替えは、信号合成部１２６によって算出される前回の受信処理によるＢＥＲ値に基づく。このＢＥＲ値が所定の値よりも劣化した場合には、受信制御部１２５は、第１の受信部と第２の受信部の両方を動作させる。一方、このＢＥＲ値が所定の値以下の場合には、第１の受信部と第２の受信部がC／Nを各々測定し、受信制御部１２５は、それぞれのＣ／Ｎを比較し、比較の結果、良好なC／Nが測定された方の受信部のみを次回から動作させる。
【００４８】
強電界から中電界となる場合、つまり、信号合成部１２６によって算出されるＢＥＲ値が、所定ＢＥＲ（図３におけるｂ１）値以上から所定ＢＥＲ値（図３におけるｂ１）未満へ変化したと判断した場合、受信制御部１２５は、第１の受信部１２４ＡにおけるC／Nと第２の受信部１２４ＢにおけるC／Nを比較し、C／Nが劣悪な方の受信部における受信処理を終了する。一方、中電界から強電界となる場合、つまり、信号合成部１２６によって算出されるＢＥＲ値が、所定ＢＥＲ値未満から所定ＢＥＲ値以上へ変化したと判断した場合、受信制御部１２５は、第１の受信部１２４Ａおよび第２の受信部１２４Ｂにおける受信処理を開始する。
【００４９】
また、弱電界から中電界となる場合、つまり、信号合成部１２６によって算出されるＢＥＲ値が、所定ＢＥＲ値（図３におけるｂ１）以上から所定ＢＥＲ値（図３におけるｂ１）未満へ変化したと判断した場合、受信制御部１２５は、第１の受信部１２４Ａと第２の受信部１２４ＢにおけるC／Nを比較し、劣悪な方の受信部における受信処理を終了する。一方、中電界から弱電界となる場合、つまり、信号合成部１２６によって算出されるＢＥＲ値が、所定ＢＥＲ値未満から所定ＢＥＲ値以上へ変化したと判断した場合、受信制御部１２５は、第１の受信部１２４Ａおよび第２の受信部１２４Ｂにおける受信処理を開始する。
【００５０】
このような携帯無線機１により、複数の内蔵アンテナ１０Ａ、１０Ｂから高周波信号を同時に入力し、最適な受信処理を行うことが可能である。
【００５１】
（第２の実施形態）
図４は、本発明の第２の実施形態の携帯無線機の構成の一例を示す図である。図４に示す携帯無線機１Ｂでは、内蔵アンテナ１０Ａは、モノポールアンテナもしくはダイポールアンテナとして動作する内蔵アンテナ素子である。内蔵アンテナ素子１０Ｂは、図１と同様に、モノポールアンテナもしくはダイポールアンテナとして動作する内蔵アンテナ素子である。内蔵アンテナ１０Ａと内蔵アンテナ１０Ｂとは、下部筐体１０４の回路基板１０６を介して対向する位置に配設されている。内蔵アンテナ１０Ａ、給電部１２１Ａ、ＬＮＡ１２２Ａ、受信回路部１２３に含まれる図示しない第１の受信部１２４Ａで構成される第１経路、および、内蔵アンテナ１０Ｂ、給電部１２１Ｂ、ＬＮＡ１２２Ｂ、受信回路部１２３に含まれる図示しない第２の受信部１２４Ｂで構成される第２経路については、電気的な接続関係は図１と同じである。
【００５２】
なお、給電部１２１は内蔵アンテナ１０に給電を行うものであり、給電部１２１Ａは内蔵アンテナ１０Ａに給電を行い、給電部１２１Ｂは内蔵アンテナ１０Ｂに給電を行う。また、給電部１２１Ａは、内蔵アンテナ１０Ａの給電部１２１Ａ側のインピーダンスとＬＮＡ１２２Ａの入力インピーダンスとを整合する整合部としての機能も有する。また、給電部１２１Ｂは、内蔵アンテナ１０Ｂの給電部１２１Ｂ側のインピーダンスとＬＮＡ１２２Ｂの入力インピーダンスとを整合する整合部としての機能も有する。給電部以外の構成要素の動作については、第１の実施形態と同じである。
【００５３】
このような携帯無線機１Ｂによれば、複数の内蔵アンテナ１０Ａ、１０Ｂから高周波信号を同時に入力し、最適な受信処理を行うことが可能である。
【産業上の利用可能性】
【００５４】
本発明は、複数の内蔵アンテナから高周波信号を同時に入力し、最適な受信処理を行うことが可能な携帯無線機等に有用である。
【図面の簡単な説明】
【００５５】
【図１】本発明の第１の実施形態における携帯無線機の構成の一例を示す図
【図２】本発明の実施形態における携帯無線機の受信回路部の詳細構成の一例を示す図
【図３】本発明の実施形態における受信電界とＢＥＲとの関係の一例を示す図
【図４】本発明の第２の実施形態における携帯無線機の構成の一例を示す図
【符号の説明】
【００５６】
１、１Ｂ  携帯無線機
１０Ａ、１０Ｂ  内蔵アンテナ
１０２、１０３  ヒンジ部
１０４  下部筐体
１０５  上部筐体
１０６、１１２  回路基板
１１０、１１１  給電素子
１２１Ａ  第１の給電部
１２１Ｂ  第２の給電部
１２２Ａ  第１の低雑音増幅器（ＬＮＡ）
１２２Ｂ  第２の低雑音増幅器（ＬＮＡ）
１２３  受信回路部
１２４Ａ  第１の受信部
１２４Ｂ  第２の受信部
１２５  受信制御部
１２６  信号合成部
【図１】
2009273085.tif 000003
【図２】
2009273085.tif 000004
【図３】
2009273085.tif 000005
【図４】
2009273085.tif 000006